(57)【特許請求の範囲】
【請求項１】
底板２の前後両端からヒンジ3、3 を介して起伏自在に前後支持板4a,4b を上方突出すると共に、これら両支持板の各対向内面から内方へ環状同径の係合突条5、5 を突設した支持部材１と、上記係合突条5、5 へ、前後方向へ筒軸を向けかつ前後両面を閉塞する筒状胴部12の周壁両端から前後方向外方へ延出させた環状係合部15、15 を嵌着することで、上記両支持板4a,4b の間に支持させた揮発性材料収納用の缶状体11と、 を具備し、上記環状係合突条5、5 内方の両支持板部分に、単数乃至複数の揮散窓６を開口すると共に、後支持板4b側の揮散窓６の総開口面積を、前支持板4a側の揮散窓６の総開口面積よりも大とした揮発性材料収納容器において、
上記底板２の左右両側から左右側板9、9 を上方突設すると共に、これら左右側板の各内面へ、上記各支持板4a,4b の左右両縁下部から各一対の係止板7、7 を突出し、かつ、これら両係止板の外面と上記側板9、9 の内面とを相互に当接させて、これら両面に、相互に離脱可能に係合して前後支持板4a,4b の垂直状態を保持する第１、第２係合手段8、10を設けたことを特徴とする揮発性材料収納容器。
【請求項２】
上記前後支持板4a,4b には、ほぼ同径の複数の揮散窓6、6 を開口すると共に、後支持板4b側の揮散窓６…を、前支持板4a側の揮散窓６…よりも多数としたことを特徴とする、請求項１記載の揮発性材料収納容器。
【発明の詳細な説明】
【０００１】
【発明の属する技術分野】
本願発明は、例えば芳香剤、消臭剤などの揮発性材料（本明細書に於いて揮発性成分を含んだ材料をいう）の収納容器に関する。
【０００２】
【従来の技術】
この種容器として、揮発性材料を収納させた広口のカップ状体の上面をシール膜で閉塞すると共に、該膜上面及びカップ状体の周壁上部外面に嵌合させたキャップの頂板に、多数の揮散窓を開口して成り、上記キャップを外してシール膜を除去した後、カップ状体上面にキャップを再嵌合して使用するものが広く市販されている。
【０００３】
【発明の解決しようとする課題】
上記容器では、使用開始直後と比較すると長く使用するにつれて内容物中の揮発性成分の量が減少するため、一定時間内に該成分が揮発する量も低下することとなる。そのため、上記使用開始直後の揮発量に対応させて、上記多数揮散窓の総開口面積を小とすると、長期間使用後に上記容器から外部へ揮発性成分が揮散する量が少なくなり過ぎて、香りなどを十分に放出することができず、他方、長期間使用後の揮発量に対応させて、上記多数揮散窓の総開口面積を大とすると、使用開始直後に放出する香りなどがきつくなり過ぎる虞がある。
【０００４】
そこで本願発明は、前後方向に中心軸を向けた筒状缶状体の周壁から前後方向外方へ突出する環状係合部を、前後支持板の各対向面に設けた環状係合突条に気密に係合させると共に、これら係合突条内の両支持板部分に単数又は複数の揮散窓を開口し、かつ、前後各支持板に穿設した揮散窓の総開口面積に差異を付けることで揮散量を調整可能な揮発性材料収納容器を提案することを目的とする。
【０００５】
【課題を解決するための手段】
第１の手段は、底板２の前後両端からヒンジ3、3 を介して起伏自在に前後支持板4a,4b を上方突出すると共に、これら両支持板の各対向内面から内方へ環状同径の係合突条5、5 を突設した支持部材１と、上記係合突条5、5 へ、前後方向へ筒軸を向けかつ前後両面を閉塞する筒状胴部12の周壁両端から前後方向外方へ延出させた環状係合部15、15 を嵌着することで、上記両支持板4a,4b の間に支持させた揮発性材料収納用の缶状体11と、 を具備し、上記環状係合突条5、5 内方の両支持板部分に、単数乃至複数の揮散窓６を開口すると共に、後支持板4b側の揮散窓６の総開口面積を、前支持板4a側の揮散窓６の総開口面積よりも大とした揮発性材料収納容器において、上記底板２の左右両側から左右側板9、9 を上方突設すると共に、これら左右側板の各内面へ、上記各支持板4a,4b の左右両縁下部から各一対の係止板7、7 を突出し、かつ、これら両係止板の外面と上記側板9、9 の内面とを相互に当接させて、これら両面に、相互に離脱可能に係合して前後支持板4a,4b の垂直状態を保持する第１、第２係合手段8、10を設けた。
【０００６】
第２の手段は、上記第１の手段を有し、かつ、上記前後支持板4a,4b には、ほぼ同径の複数の揮散窓6、6 を開口すると共に、後支持板4b側の揮散窓６…を、前支持板4a側の揮散窓６…よりも多数としている。
【０００８】
【発明の実施の形態】
１は、支持部材であり、矩形の底板２の前後両端から肉薄のヒンジ3、3 を介して後述缶状体を支持するための前後支持板4a,4b を起伏自在に起立している。
【０００９】
これら両支持板は、少なくとも後述缶状体の直径よりも大きな左右幅及び上下長さを有し、かつ、これら支持板の各上部対向内面から環状等径の係合突条5、5 を内方へ短く突出している。
【００１０】
これら係合突条内方の各支持板部分には、単数の、或いは図示の如く複数の揮散窓６…を開口する。これら揮散窓は、後支持板4b側の揮散窓６…の総開口面積を前支持板4a側の揮散窓６…の総開口面積よりも大とすることで、後側の複数揮散窓からの揮散量が前側の複数揮散窓からの揮散量に比べて大となるように構成する。該構成とするためには、同じ大きさの揮散窓６を前支持板4aに比べて後支持板4bに多数設けても良いが、例えば、両支持板に同数の揮散窓を設けると共に後支持板4bの揮散窓６を前支持板4aの揮散窓に比べて大径としても良い。図示例では、各揮散窓６…を、後支持板の中央部に穿設したものを除き、ほぼ等径の円形状とすると共に、後又は前支持板に穿設した揮散窓の多寡により総開口面積を調整している。
【００１１】
又、好適な図示例では、両支持板の左右両縁下部から後述左右側板の各内面へ、左右の係止板７…を突出すると共に、これら両板の外面に凸状の第１係合手段８…を設けている。
【００１２】
而して、上記底板２の左右両側からは、左右側板9、9 が起立されており、該側板内面を上記係止板７外面…を当接させると共に、該内面の当接部分に上記第１係合手段８…と係合することで、前後支持板の垂直状態を保持する凹状第２係合手段10…を設けている。尚、上記左右側板は、支持部材１に対する後述缶状体の着脱操作の際に邪魔にならないように、上記支持板4a,4b の上下方向中間部付近まで起立する長さとすると良い。
【００１３】
11は、缶状体である。本明細書において、缶状体とは、金属製の缶に限らず、缶類似の形状を備えた他の材質、例えば合成樹脂で形成された容器を含むものとする。該缶状体は、中心軸を前後方向に向けた筒状の胴部12の両端面を、前後の閉塞板13、13 で閉塞すると共に、上記胴部の周壁14から前後方向へ延出した環状係合部15の内面へ気密に嵌着させることで、上記両支持板4a,4b 間で支持させている。尚、上記閉塞板13、13 は、図示の如く、該板周縁部から短筒を介して側外方へ突出した鍔状部を、上記周壁からの延出壁部先端に係止させても良く、又、剥離可能なシール膜などで胴部の一端面を閉塞した構成としても良い。尚、上記図示例の場合には、上記閉塞板13の外周部分に破断用溝（図示せず）を穿設すると共に、該溝破断用のプルリング（図示せず）を溝内方の閉塞板部分に付設すると更に好適である。尚、上記缶状体11は、図２に示す如く、環状係合部15、15 の下面左右両側を、図２に示す如く左右両側板9、9 の上端に係止させるとよい。
【００１４】
上記構成に於いて、図３に示す未使用状態に於いて、缶状体11は、前後両支持板4a,4b の間に保持されている。
【００１５】
該状態から、例えば図４に矢示の如く前支持板4aを前方へ倒して、上記缶状体11を支持部材１から取り外し、該缶状体の前閉塞板13を除去して開口ａをあけ、図５に示す如く、再び缶状体を支持部材１へ取り付け、かつ、前支持板4aの環状係合部15内面へ、上記係合突条５を嵌着させると、上記開口ａ及び前支持板4a側の揮散窓６を介して、缶状体11内に収納させた内容物から、揮発性成分、例えば香りの成分などが放出される。ここで、使い始めの状態に於いては、内容物からの揮発性成分の放出速度は大きいが、前支持板4a側の揮散窓の総開口面積は後支持板4b側の揮散窓のそれよりも小さいので、容器外へ揮散する揮発性成分の量を適量に制限することができる。
【００１６】
次に、容器を長期間、例えば１乃至２週間使用して内容物の残量が少なくなってきたときには、再び前支持板4aを倒して、缶状体11を取り外し、該缶状体の向きを前後反対にしてから、図６に矢示する如く後支持板4b側へ押し込んで、缶状体11を上記支持部材１へ再度装着させる。そうすると、図７に示す如く上記開口ａ及び後支持板4b側の揮散窓６…を介して、上記内容物から揮発性成分が放出される。このときに、該内容物からの揮発性成分の放出速度は小さいが、上述の如く後支持板4b側の揮散窓の総開口面積は大であるため、使用直後のときと比較して揮発性成分の容器外への揮散量が著しく低下することを防止できる。
【００１７】
尚、以上の説明では、缶状体11を支持部材１から取り外す際に前支持板4aを起伏させているが、後支持板4bを起伏させても同様の操作を行うことができる。
【００１８】
【発明の効果】
本願発明は如上の構成のものであり、請求項１の発明によれば、後支持板4bに設けた揮散窓６…の総開口面積を、前支持板4aに設けた揮散窓６…のそれよりも大としたから、使用直後は前側の揮散窓６…を介して、使用後長期間を経たときには後側の揮散窓６…を介して、それぞれ揮発性成分を容器外へ放出することができるので、使用直後に比べて長期間使用後の放出量が顕著に低下することを防止できる。
【００１９】
請求項２の発明によれば、上記各支持板4a,4b に同程度の大きさの複数の揮散窓６…を穿設したから、単一の窓を開口する場合に比べて各窓の大きさを小とすることができ、従って、垂直な上記閉塞板13、13 に単一の大径開口を穿設した構成とした場合の如く、図７の如く内容物の残量が僅かとなったときに、該内容物のかたまりが、例えば容器を床へ取り落とすことなどにより、上記開口から容器外へ転がり出るなどの不都合がない。
【００２０】
又請求項1の発明によれば、前後支持板4a,4b の垂直状態を保持する第１、第２係合手段8、10を、側板9、9 内面と係止板7、7 外面とに設けたから、例えば前又は後支持板4a,4b に他物が当たったときに、これら支持板が上記垂直状態から傾斜して上記係合突条５と環状係合部15との嵌合が外れ、缶状体11を保持できなくなるという不都合がない。
【図面の簡単な説明】
【図１】  本発明の容器を前上方から見たときの斜視図である。
【図２】  図１容器の後面図である。
【図３】  図１容器の縦断面図である。
【図４】  図１容器の操作説明図である。
【図５】  図１容器の使用開始直後の状態説明図である。
【図６】  図１容器の缶状体を再装着するときの操作説明図である。
【図７】  図１容器の使用後長期を経た後の状態説明図である。
【符号の説明】
１…支持部材                    ２…底板
３…ヒンジ                      4a,4b …前後支持板
５…係合突条                    ６…揮散窓
７…係止板                      ８…第１係合手段
９…左右側板                    10…第２係合手段
11…缶状体                      12…胴部
13…閉塞板                      14…周壁
15…環状係合部
【図１】
0003973829.tif 000002
【図２】
0003973829.tif 000003
【図３】
0003973829.tif 000004
【図４】
0003973829.tif 000005
【図５】
0003973829.tif 000006
【図６】
0003973829.tif 000007
【図７】
0003973829.tif 000008